(57)【要約】【課題】車輪をもつ車枠体の後部にハンドル体を突設すると共に車枠体に犬や猫などのペットを吊下状に支持可能な支持体を設け、使用者はハンドル体をもって車枠体を車輪により押動走行することになり、ペットの体重が支持体に吊下支持されているので、老犬や障害犬などの歩行が困難な犬や猫などのペットの散歩に用いることができ、不使用時においては、このハンドル体及び支持体を折畳機構により車枠体に対して折り畳むことができ、全体をコンパクトに折り畳むことができ、使用の融通性を高めることができる。【解決手段】車輪２をもつ車枠体１の後部にハンドル体４を突設すると共に車枠体に犬や猫などのペットＷを吊下状に支持可能な支持体３を設けてなり、ハンドル体及び支持体を折畳機構５により車枠体に対して折畳自在に設けてなる。【選択図】        図１
2008253220.tif 000002
【特許請求の範囲】
【請求項１】
車輪をもつ車枠体の後部にハンドル体を突設すると共に該車枠体に犬や猫などのペットを吊下状に支持可能な支持体を設けてなり、上記ハンドル体及び上記支持体を折畳機構により上記車枠体に対して折畳自在に設けてなることを特徴とするペット用歩行補助具。
【請求項２】
上記折畳機構として、上記車枠体と上記支持体との間にリンク体を枢着架設して該支持体を該車枠体に対して使用時の起立位置から不使用時の折畳位置へと折畳自在に設け、上記ハンドル体を該車体枠に起倒自在に設けると共に該ハンドル体と該リンク体との間に連結リンクを枢着架設してなることを特徴とする請求項１記載のペット用歩行補助具。
【請求項３】
上記支持体の起立位置を調節可能な高低調節機構を設けてなることを特徴とする請求項１又は２記載のペット用歩行補助具。
【請求項４】
上記支持体及び上記ハンドル体の起立位置を保持する解除可能な保持機構を設けてなることを特徴とする請求項１〜３のいずれか１項に記載のペット用歩行補助具。
【請求項５】
上記支持体にペットを吊下保持する帯状紐体を係止可能な係止部を設けてなることを特徴とする請求項１〜４のいずれか１項に記載のペット用歩行補助具。
【発明の詳細な説明】
【技術分野】
【０００１】
本発明は例えば老犬や障害犬などの歩行が困難な犬や猫などのペットの散歩に用いられるペット用歩行補助具に関するものである。
【背景技術】
【０００２】
従来、この種のペット用歩行補助具として、車輪をもつ車枠体の後部にハンドル体を突設すると共に該車枠体にペットを吊下状に支持可能な支持体を設けてなる構造のものが知られている。
【特許文献１】特開２００３−９７０４
【発明の開示】
【発明が解決しようとする課題】
【０００３】
しかしながらこれら上記従来構造の場合、保管時や運搬時等の不使用時において、車枠体の大きさから、嵩張り易く、使用の融通性が低下することがあるという不都合を有している。
【課題を解決するための手段】
【０００４】
本発明はこれらの不都合を解決することを目的とするもので、本発明のうちで、請求項１記載の発明は、車輪をもつ車枠体の後部にハンドル体を突設すると共に該車枠体に犬や猫などのペットを吊下状に支持可能な支持体を設けてなり、上記ハンドル体及び上記支持体を折畳機構により上記車枠体に対して折畳自在に設けてなることを特徴とするペット用歩行補助具にある。
【０００５】
又、請求項２記載の発明は、上記折畳機構として、上記車枠体と上記支持体との間にリンク体を枢着架設して該支持体を該車枠体に対して使用時の起立位置から不使用時の折畳位置へと折畳自在に設け、上記ハンドル体を該車体枠に起倒自在に設けると共に該ハンドル体と該リンク体との間に連結リンクを枢着架設してなることを特徴とするものであり、又、請求項３記載の発明は、上記支持体の起立位置を調節可能な高低調節機構を設けてなることを特徴とするものであり、又、請求項４記載の発明は、上記支持体及び上記ハンドル体の起立位置を保持する解除可能な保持機構を設けてなることを特徴とするものであり、又、請求項５記載の発明は、上記支持体にペットを吊下保持する帯状紐体を係止可能な係止部を設けてなることを特徴とするものである。
【発明の効果】
【０００６】
本発明は上述の如く、請求項１記載の発明にあっては、車輪をもつ車枠体の後部にハンドル体を突設すると共に車枠体に犬や猫などのペットを吊下状に支持可能な支持体を設け、使用者はハンドル体をもって車枠体を車輪により押動走行することになり、ペットの体重が支持体に吊下支持されているので、老犬や障害犬などの歩行が困難な犬や猫などのペットの散歩に用いることができ、不使用時においては、このハンドル体及び支持体を折畳機構により車枠体に対して折り畳むことができ、全体をコンパクトに折り畳むことができ、使用の融通性を高めることができる。
【０００７】
又、請求項２記載の発明にあっては、上記折畳機構として、上記車枠体と上記支持体との間にリンク体を枢着架設して支持体を車枠体に対して使用時の起立位置から不使用時の折畳位置へと折畳自在に設け、上記ハンドル体を車体枠に起倒自在に設けると共にハンドル体とリンク体との間に連結リンクを枢着架設しているから、上記折畳機構の構造を簡素化することができると共にハンドル体の起倒により支持体を折り畳むことができ、一層使用の融通性を高めることができ、又、請求項３記載の発明にあっては、上記支持体の起立位置を調節可能な高低調節機構を設けているから、大型犬、中型犬、小型犬などのペットの大きさに対応することができ、一層使用の融通性を高めることができ、又、請求項４記載の発明にあっては、上記支持体及び上記ハンドル体の起立位置を保持する解除可能な保持機構を設けているから、支持体及び上記ハンドル体の不意の折り畳みを確実に防ぐことができ、又、請求項５記載の発明にあっては、上記支持体にペットを吊下保持する帯状紐体を係止可能な係止部を設けてなるから、帯状紐体の着脱を容易に行うことができる。
【発明を実施するための最良の形態】
【０００８】
図１乃至図８は本発明の実施の形態例を示し、１は車枠体であって、この場合、図１の如く、左右杆部１ａ・１ａ及び後杆部１ｂからなる前部が開口した平面コ状に形成され、この左右杆部１ａ・１ａの前端部及び後杆部１ｂの底面に車輪２を設けて構成している。
【０００９】
３は支持体、４はハンドル体、５は折畳機構であって、この場合、図１の如く、支持体３は左右杆部３ａ・３ａ及び後杆部３ｂからなる前部が開口した平面コ状に形成され、又、ハンドル体４は左右杆部４ａ・４ａ及び把持杆部４ｂからなる平面コ状に形成され、このハンドル体４及び上記支持体３を折畳機構５により上記車枠体１に対して折畳自在に設けて構成している。
【００１０】
この場合、上記折畳機構５として、図１、図２、図３の如く、上記車枠体１と上記支持体３との間に左右一対宛の計四個の等長のリンク体５ａ・５ａ・・をピン５ｂ・５ｂ・・・により枢着架設し、これにより、車枠体１、支持体３及びリンク体５ａ・・・により平行リンク機構を形成して、図２から図７の如く、支持体３を車枠体１に対して使用時の起立位置Ｋから不使用時の折畳位置Ｒへと折畳自在に設けて構成している。
【００１１】
更に、この場合、図１の如く、上記ハンドル体４を車体枠１に枢軸５ｃにより起倒自在に設けると共にハンドル体４と四個のリンク体５ａのうちの後部のリンク体５ａとの間に連結リンク５ｄをピン５ｅ・５ｅにより枢着架設して構成している。
【００１２】
６は保持機構、７は高低調節機構であって、この場合、図１、図３、図４、図８の如く、保持機構６として、上記ハンドル体４の左右杆部４ａ・４ａにそれぞれ台片６ａを取付け、この各台片６ａに中間ピン６ｂにより内側部同士を折曲自在に枢着された一対の折曲リンク６ｃ・６ｄのうちの一方の折曲リンク６ｃの外方端部をピン６ｅにより枢着し、他方の折曲リンク６ｄの外方端部をピン６ｆにより車枠体１の左右杆部１ａ・１ａに枢着し、他方の折曲リンク６ｄの側面に規制凸部６ｇを突設すると共に一方の折曲リンク６ｃの内方端部に規制凸部６ｇに係止可能な切欠係止部６ｈを形成し、かつ、高低調節機構７として、上記台片６ａに上記一方の折曲リンク６ｃの外方端部を枢着するピン６ｅを選択して嵌着可能な嵌着穴７ａを複数個、この場合、三個形成している。
【００１３】
しかして、図３の如く、一方の折曲リンク６ｃの内方端部に形成された切欠係止部６ｈと他方の折曲リンク６ｄに突設された規制凸部６ｇとの係止によりリンク体５ａ及びハンドル体４の起立位置Ｋを保持し、又、一対の折曲リンク６ｃ・６ｄを中間ピン６ｂにより折曲させ、切欠係止部６ｈと規制凸部６ｇとの係止を解除することによりリンク体５ａ及びハンドル体４を折畳位置Ｒへと折畳自在に設けて構成ししていると共に、更に、上記一方の折曲リンク６ｃの外方端部をいずれかの嵌着穴７ａを選択してピン６ｅにより上記台片６ａに枢着することによりリンク体５ａ及びハンドル体４の起立位置Ｋを高低調節自在に設けて構成している。
【００１４】
８は係止部であって、コ状杆からなり、上記支持体３の前後に左右一対宛計四個設けられ、この係止部８に犬や猫などのペットＷの身体を吊下保持可能な帯状紐体９を係止するように構成している。
【００１５】
この実施の形態例は上記構成であるから、車輪２をもつ車枠体１の後部にハンドル体４を突設すると共に車枠体１に犬や猫などのペットＷを吊下状に支持可能な支持体３を設け、図５の如く、使用者Ｗはハンドル体４をもって車枠体１を車輪２により押動走行することになり、ペットＷの体重が支持体３に吊下支持されているので、老犬や障害犬などの歩行が困難な犬や猫などのペットＷの散歩に用いることができ、不使用時においては、図７、図８の如く、このハンドル体４及び支持体３を折畳機構５により車枠体１に対して折り畳むことができ、全体をコンパクトに折り畳むことができ、使用の融通性を高めることができる。
【００１６】
この場合、上記折畳機構５として、上記車枠体１と上記支持体３との間にリンク体５ａを枢着架設して支持体３を車枠体１に対して使用時の起立位置Ｋから不使用時の折畳位置Ｒへと折畳自在に設け、上記ハンドル体４を車体枠１に起倒自在に設けると共にハンドル体４とリンク体５ａとの間に連結リンク５ｄを枢着架設しているから、上記折畳機構５の構造を簡素化することができると共にハンドル体４の起倒により支持体３を折り畳むことができ、一層使用の融通性を高めることができる。
【００１７】
又、この場合、上記支持体３の起立位置Ｋを調節可能な高低調節機構７を設けているから、大型犬、中型犬、小型犬などのペットの大きさに対応することができ、一層使用の融通性を高めることができ、又、この場合、上記支持体３及び上記ハンドル体５の起立位置Ｋを保持する解除可能な保持機構６を設けているから、支持体３及び上記ハンドル体５の不意の折り畳みを確実に防ぐことができ、又、この場合、上記支持体３にペットＷを吊下保持する帯状紐体９を係止可能な係止部８を設けてなるから、帯状紐体９の着脱を容易に行うことができる。
【００１８】
尚、本発明は上記実施の形態例に限られるものではなく、車枠体１、車輪２、支持体３の構造、ハンドル体４、折畳機構５、保持機構６、高低調節機構７、係止部８の形状等は適宜変更して設計されるものである。
【００１９】
以上、所期の目的を充分達成することができる。
【図面の簡単な説明】
【００２０】
【図１】本発明の実施の形態例の全体斜視図である。
【図２】本発明の実施の形態例の全体側面図である。
【図３】本発明の実施の形態例の部分拡大側面図である。
【図４】本発明の実施の形態例の部分平面図である。
【図５】本発明の実施の形態例の使用状態図である。
【図６】本発明の実施の形態例の全体平面図である。
【図７】本発明の実施の形態例の折畳状態の全体側面図である。
【図８】本発明の実施の形態例の折畳状態の部分拡大側面図である。
【符号の説明】
【００２１】
Ｋ    起立位置
Ｒ    折畳位置
Ｑ    帯状紐体
１    車枠体
２    車輪
３    支持体
４    ハンドル体
５    折畳機構
６    保持機構
６ｇ    規制凸部
６ｈ    切欠係止部
７    高低調節機構
８    係止部
【図１】
2008253220.tif 000003
【図２】
2008253220.tif 000004
【図３】
2008253220.tif 000005
【図４】
2008253220.tif 000006
【図５】
2008253220.tif 000007
【図６】
2008253220.tif 000008
【図７】
2008253220.tif 000009
【図８】
2008253220.tif 000010